(57)【要約】【課題】管理する手間がかかるが植物を育成するという精神的な安らぎと満足感が得られるとともに、実際に鑑賞する時間帯に合わせて環境を設定することができる植物に優しい箱庭装置を提供する。【解決手段】装置本体１は上面が開口した箱状に形成され、該装置本体１の内部には植物を植える土壌を収容する土壌収容部２を設け、上記装置本体１の底部には、上記土壌収容部２に収容した土壌の温度を管理する温度管理部９が配置され、装置本体１の上方には上記植物に光を照射し該植物の育成を図る植物育成灯５が配置されるとともに、上記装置本体１には上記温度管理部９を制御する温度制御部１２と、植物育成灯５の点灯を制御する点灯制御部１５と、上記土壌の温度の制御を季節にあわせて切り換える切換スイッチ１４とを設けた。【選択図】図１
2007228838.tif 000002
【特許請求の範囲】
【請求項１】
以下の要件を備えることを特徴とする箱庭装置。
（イ）装置本体は上面が開口した箱状に形成され、該装置本体の内部には植物を植える土壌を収容する土壌収容部が設けてあること
（ロ）上記装置本体の底部には、上記土壌収容部に収容した土壌の温度を管理する温度管理部が配置され、装置本体の上方には上記植物に光を照射し該植物の育成を図る植物育成灯が配置されていること
（ハ）上記装置本体には上記温度管理部を制御する温度制御部と、植物育成灯の点灯を制御する点灯制御部とが配置されていること
（ニ）上記装置本体には上記土壌の温度の制御を季節にあわせて切り換える切換スイッチを設けたこと
【発明の詳細な説明】
【技術分野】
【０００１】
本発明は、箱庭装置、詳しくは温度、明かりの管理を行なって実際の植物を手入れしながら鑑賞する箱庭装置に関するものである。
【背景技術】
【０００２】
従来、部屋の中で熱帯魚を観賞用に飼育する趣味の人たちがいるが、生き物を飼育するのが大変なため観賞用の小さな箱庭を作って楽しむミニチュアの箱庭が提案されている（例えば、特許文献１）。この箱庭は、上部が開放した容器に、充填部材を嵌着し、この充填部材に造木、造花等の装飾部材を立設するとともに、充填部材の表面に苔を配設したものである。
【特許文献１】実用新案登録第３０８６２９４号公報
【発明の開示】
【発明が解決しようとする課題】
【０００３】
本発明が解決しようとする問題点は、上述の箱庭装置は実際の植物を植えて鑑賞するものではなく、木や花を模して作った装飾部材を配置したもので、管理の手間を省いて楽しむことができる反面、いつも同じ状態で変化がないためにやがて飽きてしまう恐れがあった。
【０００４】
本発明は、上記問題点を解決し、管理する手間がかかるが植物を育成するという精神的な安らぎと満足感が得られるとともに、実際に鑑賞する時間帯に合わせて環境を設定することができる植物に優しい箱庭装置を提供することを課題とする。
【課題を解決するための手段】
【０００５】
前記課題を解決するために本発明に係る箱庭装置は、以下の要件を備えることを特徴とする。
（イ）装置本体は上面が開口した箱状に形成され、該装置本体の内部には植物を植える土壌を収容する土壌収容部が設けてあること
（ロ）上記装置本体の底部には、上記土壌収容部に収容した土壌の温度を管理する温度管理部が配置され、装置本体の上方には上記植物に光を照射し該植物の育成を図る植物育成灯が配置されていること
（ハ）上記装置本体には上記温度管理部を制御する温度制御部と、植物育成灯の点灯を制御する点灯制御部とが配置されていること
（ニ）上記装置本体には上記土壌の温度の制御を季節にあわせて切り換える切換スイッチを設けたこと
【発明の効果】
【０００６】
本発明によれば、植物を植えた土壌の温度を管理するとともに、植物に光を照射する植物育成灯で植物の育成を図り、植物育成に最適な環境を作り、単に鑑賞するだけではなく育成する喜びを味わうことができる箱庭装置を提供することができる。
【発明を実施するための最良の形態】
【０００７】
図１は、本発明に係る箱庭装置Ａの一例を示すもので、この箱庭装置Ａは上面が開口した箱状の装置本体１に土壌を収容する土壌収容部２を設けるとともに、この土壌収容部２の上方には支柱３を介して屋根４が設けられ、この屋根４の内側には上記土壌に植えた植物に光を照射して植物の育成を図る植物育成灯５が配置されている。
【０００８】
上記土壌収容部２の底部には水抜き用のドレイン６と、このドレイン６に接続された６本の溝７とが形成され、土壌内の余分な水は溝７を伝ってドレイン６から排出されるようになっているとともに、裏面には土壌の温度を検出する温度センサ１１と、土壌の温度を管理する温度管理部９とが配置されている。
【０００９】
図２は、箱庭装置Ａの電気的構成を説明するブロック図で、上記装置本体１には、電源スイッチ１０と、土壌温度を検出する温度センサ１１に基づいて温度管理部９を制御する温度制御部１２と、スイッチング電源１３と、切換スイッチ１４と、温度管理部９であるペルチェユニットと、植物育成灯５の点灯を制御する点灯制御部１５と、この点灯制御部１５に接続され植物育成灯５を点灯させるインバータ回路１６、明るさを調節する調光回路１７とで構成されている。
【００１０】
なお、上記温度制御部１２は、一方の温度センサ１１ａに接続された夏用のサーモスタット１２ａと、他方の温度センサ１１ｂに接続された冬用のサーモスタット１２ｂとで構成されている。
【００１１】
上記夏用のサーモスタット１２ａは、温度センサ１１ａの検出する温度が摂氏２５度以上になるとＯＮし、摂氏２２度以下になるとＯＦＦするように設定され、冬用のサーモスタット１２ｂは温度センサ１１ｂの検出する温度が摂氏２０度以下になるとＯＮし、摂氏２４度以上になるとＯＦＦするように設定されている。
【００１２】
また、切換スイッチ１４は２極双投型のスイッチを使用し、切換スイッチ１４を切り換えることによりペルチェユニット９に流れる電流の向きを変えることができるもので、夏用に設定すれば、ペルチェユニット９には例えば順方向（矢印ａ）に電流が流れ、上側面（土壌収容部２に対向する側）は冷却面になり、冬用に設定すれば、ペルチェユニット９には夏用とは逆の方向（矢印ｂ）に電流が流れ、上側面（土壌収容部２に対向する側）は発熱面になるように設定されている。
【００１３】
点灯制御部１５は２４時間の時間管理を行なうタイマーで構成され、例えば午前８時に育成灯５を点灯させ、午後５時に育成灯５を消灯させることができるように育成灯５のＯＮ／ＯＦＦを制御することができるようになっている。この時間管理は、例えば夕方から夜間に営業している店舗に箱庭装置Ａを設置するような場合は、夕方点灯し、夜中に消灯するように設定し、昼と夜の時間を逆転させるようにして植物を育成させることができる。
【００１４】
上記構成の箱庭装置Ａは、図３に示すように、収容部２に土壌２０を入れ、松やコケ等の植物２１を植えるとともに庭石を模した石２２を配置し、この箱庭装置Ａの動作環境を設定する。
【００１５】
例えば、一般の家庭に設置する場合は、タイマー１５を午前８時に育成灯５を点灯させ、午後５時に育成灯５を消灯させることができるように設定し、夜間営業するような店舗に設置するような場合は、タイマー１５を午後５時に育成灯５を点灯させ、午前２時に育成灯５を消灯させることができるように設定すればよい。そして、これから夏に向かうような時期では切換スイッチ１４を夏用に設定し、これから冬に向かうような時期では切換スイッチ１４を冬用に設定する。
【００１６】
そして、季節が夏の場合で、切換スイッチ１４を夏用に設定した場合は、土壌の温度が摂氏２５度以上になるとサーモスタット１２ａが働いて熱の吸収が行なわれて土壌は冷却され、土壌の温度が摂氏２２度以下になるとサーモスタット１２ａが働いて熱の発散が行なわれて土壌は暖められ、土壌の温度は摂氏２２度から摂氏２５度の間で一定に保つことができる。
【００１７】
一方、季節が冬の場合で、切換スイッチ１４を冬用に設定した場合は、土壌の温度が摂氏２４度以上になるとサーモスタット１２ｂが働いて熱の吸収が行なわれて土壌は冷却され、土壌の温度が摂氏２０度以下になるとサーモスタット１２ｂが働いて熱の発散が行なわれて土壌は暖められ、土壌の温度は摂氏２０度から摂氏２４度の間で一定に保たれることになる。
【００１８】
上述のように、夏場は土壌の温度が高くなり過ぎないように制御し、冬場は土壌の温度が低くなり過ぎないように制御するとともに、鑑賞する時間帯が昼間か夜かに対応して育成灯５の点灯時間を制御し、植物を最適な環境で育成することができるようにし、単に鑑賞するだけではなく、盆栽のように植物の手入れもしなければならず、模型植物を配設した箱庭装置が単に飾るだけであるのに対し、本発明の箱庭装置Ａは手入れをしなければ鑑賞に堪えうる状態を維持できないため、手間がかかる反面、植物を育てるという楽しさを味わうことができる箱庭装置Ａを実現することができる。
【図面の簡単な説明】
【００１９】
【図１】本発明に係る箱庭装置の一例を示す斜視図
【図２】上記箱庭装置の電気的構成の説明図
【図３】上記箱庭装置の使用状態を説明する斜視図
【符号の説明】
【００２０】
１    装置本体
２    土壌収容部
５    植物育成灯
９    温度管理部
１２    温度制御部
１４    切換スイッチ
１５    点灯制御部
【図１】
2007228838.tif 000003
【図２】
2007228838.tif 000004
【図３】
2007228838.tif 000005